【手続補正書】
【提出日】平成19年1月26日(2007.1.26)
【手続補正１】
【補正対象書類名】特許請求の範囲
【補正対象項目名】全文
【補正方法】変更
【補正の内容】
【特許請求の範囲】
【請求項１】
デジタルカメラと通信手段を介してダイレクトに通信し、前記デジタルカメラが装着するメモリに格納された撮像画像をプリントするプリント装置であって、
前記通信手段で前記デジタルカメラと通信を開始したことに応じて、当該デジタルカメラがダイレクトプリント機能を有するデバイスであるか否かを認証するため、接続中の前記デジタルカメラが所有している情報を要求する要求手段と、
該要求手段による要求の結果、前記デジタルカメラからダイレクト印刷機能を有することを示す認証情報を受信した後で、プリント装置自身がダイレクト印刷機能を有することを示す認証情報を通知する通知手段を有し、
前記要求手段は、前記デジタルカメラから受信した情報が、ダイレクトプリント機能を有することを示す認証情報でなかった場合に、再度、前記デジタルカメラが所有している情報を要求することを特徴とするプリント装置。
【請求項２】
前記要求手段は、前記デジタルカメラが所有している情報のうち、スクリプト属性の情報の内容を要求することを特徴とする請求項１に記載のプリント装置。
【請求項３】
前記要求手段及び通知手段は、ＵＳＢインターフェースにおけるＰＴＰプロトコルで行われることを特徴とする請求項１又は２に記載のプリント装置。
【請求項４】
更に、前記通知手段による通知後、前記プリント装置は、前記ＰＴＰプロトコルでの通信階層よりも上位レイヤに実装される、ダイレクトプリント専用のプロトコルを用いてデジタルカメラと通信することを特徴とする請求項３に記載のプリント装置。
【請求項５】
デジタルカメラと通信手段を介してダイレクトに通信し、前記デジタルカメラが装着するメモリに格納された撮像画像をプリントするプリント装置の制御方法であって、
前記通信手段で前記デジタルカメラと通信を開始したことに応じて、当該デジタルカメラがダイレクトプリント機能を有するデバイスであるか否かを認証するため、接続中の前記デジタルカメラが所有している情報を要求する要求工程と、
該要求工程による要求の結果、前記デジタルカメラからダイレクト印刷機能を有することを示す認証情報を受信した後で、プリント装置自身がダイレクト印刷機能を有することを示す認証情報を通知する通知工程を有し、
さらに、前記デジタルカメラから受信した情報が、ダイレクトプリント機能を有することを示す認証情報でなかった場合に、再度、前記デジタルカメラが所有している情報を要求することを特徴とするプリント装置の制御方法。
【請求項６】
前記要求工程は、前記デジタルカメラが所有している情報のうち、スクリプト属性の情報の内容を要求することを特徴とする請求項５に記載のプリント装置の制御方法。
【請求項７】
前記要求工程及び通知工程は、ＵＳＢインターフェースにおけるＰＴＰプロトコルで行われることを特徴とする請求項５又は６に記載のプリント装置の制御方法。
【請求項８】
更に、前記通知工程による通知後、前記プリント装置は、前記ＰＴＰプロトコルでの通信階層よりも上位レイヤに実装される、ダイレクトプリント専用のプロトコルを用いてデジタルカメラと通信することを特徴とする請求項７に記載のプリント装置の制御方法。
【請求項９】
撮像手段で撮像した画像を記憶媒体に記憶すると共に、画像を印刷するためにプリント装置と通信手段を介して通信可能なデジタルカメラ装置であって、
前記通信手段で前記プリント装置と通信を開始したことに応じて、通信中の前記プリント装置からデジタルカメラ装置が所有している情報の送信要求を受信する第１の受信手段と、
該第１の受信手段が受信した前記送信要求に従って、デジタルカメラ装置が有する情報を送信する送信手段と、
前記送信手段により送信された情報が、ダイレクトプリント機能を有することを示す認証情報でない場合に、デジタルカメラ装置が所有する情報の送信要求を更に受信する第２の受信手段と、
前記認証情報を送信したことに応じて、前記プリント装置がダイレクトプリント機能を有することを示す認証情報を受信する第３の受信手段と
を備えることを特徴とするデジタルカメラ装置。
【請求項１０】
前記送信要求は、前記デジタルカメラ装置が所有している情報のうち、スクリプト属性の情報の内容の送信要求であることを特徴とする請求項９に記載のデジタルカメラ装置。
【請求項１１】
前記送信手段、及び、前記第１乃至第３の受信手段は、ＵＳＢインターフェースにおけるＰＴＰプロトコルで行われることを特徴とする請求項９又は１０に記載のデジタルカメラ装置。
【請求項１２】
更に、前記認証情報の受信後、前記デジタルカメラ装置は、前記ＰＴＰプロトコルでの通信階層よりも上位レイヤに実装される、ダイレクトプリント専用のプロトコルを用いて前記プリント装置と通信することを特徴とする請求項１１に記載のデジタルカメラ装置。
【請求項１３】
撮像手段で撮像した画像を記憶媒体に記憶すると共に、画像を印刷するためにプリント装置と通信手段を介して通信可能なデジタルカメラ装置の制御方法であって、
前記通信手段で前記プリント装置と通信を開始したことに応じて、通信中の前記プリント装置からデジタルカメラ装置が所有している情報の送信要求を受信する第１の受信工程と、
該第１の受信工程により受信した前記送信要求に従って、デジタルカメラ装置が有する情報を送信する送信工程と、
前記送信工程により送信された情報が、ダイレクトプリント機能を有することを示す認証情報でない場合に、デジタルカメラ装置が所有する情報の送信要求を更に受信する第２の受信工程と、
前記認証情報を送信したことに応じて、前記プリント装置がダイレクトプリント機能を有することを示す認証情報を受信する第３の受信工程と
を備えることを特徴とするデジタルカメラ装置の制御方法。
【請求項１４】
前記送信要求は、前記デジタルカメラ装置が所有している情報のうち、スクリプト属性の情報の内容の送信要求であることを特徴とする請求項１３に記載のデジタルカメラ装置の制御方法。
【請求項１５】
前記送信工程、及び、前記第１乃至第３の受信工程は、ＵＳＢインターフェースにおけるＰＴＰプロトコルで行われることを特徴とする請求項１３又は１４に記載のデジタルカメラ装置の制御方法。
【請求項１６】
更に、前記認証情報の受信後、前記デジタルカメラ装置は、前記ＰＴＰプロトコルでの通信階層よりも上位レイヤに実装される、ダイレクトプリント専用のプロトコルを用いて前記プリント装置と通信することを特徴とする請求項１１に記載のデジタルカメラ装置の制御方法。
【請求項１７】
撮像手段で撮像した画像を記憶媒体に記憶すると共に、画像を印刷するためにプリント装置と第１の通信手段を介して通信可能なデジタルカメラ装置と、該デジタルカメラ装置と第２の通信手段を介してダイレクトに通信し、前記デジタルカメラ装置の前記記憶媒体に格納された撮像画像をプリントするプリント装置とで構成されるプリントシステムであって、
前記プリント装置は、
前記第２の通信手段で前記デジタルカメラ装置と通信を開始したことに応じて、当該デジタルカメラ装置がダイレクトプリント機能を有するデバイスであるか否かを認証するため、接続中の前記デジタルカメラ装置が所有している情報の送信要求を行なう要求手段と、
該要求手段による送信要求の結果、前記デジタルカメラ装置からダイレクト印刷機能を有することを示す認証情報を受信した後で、プリント装置自身がダイレクト印刷機能を有することを示す認証情報を通知する通知手段を有し、
前記要求手段は、前記デジタルカメラ装置から受信した情報が、ダイレクトプリント機能を有することを示す認証情報でなかった場合に、再度、前記デジタルカメラ装置が所有している情報の送信要求を行なうことを特徴とし、
前記デジタルカメラ装置は、
前記第１の通信手段で前記プリント装置と通信を開始したことに応じて、通信中の前記プリント装置からデジタルカメラ装置が所有している情報の送信要求を受信する第１の受信手段と、
該第１の受信手段が受信した前記送信要求に従って、デジタルカメラ装置が有する情報を送信する送信手段と、
前記送信手段により送信された情報が、ダイレクトプリント機能を有することを示す認証情報でない場合に、デジタルカメラ装置が所有する情報の送信要求を更に受信する第２の受信手段と、
前記認証情報を送信したことに応じて、前記プリント装置がダイレクトプリント機能を有することを示す認証情報を受信する第３の受信手段とを備える
ことを特徴とするプリントシステム。
【手続補正２】
【補正対象書類名】明細書
【補正対象項目名】発明の名称
【補正方法】変更
【補正の内容】
【発明の名称】プリント装置及びデジタルカメラ装置及びそれらの制御方法、並びにプリントシステム
【手続補正３】
【補正対象書類名】明細書
【補正対象項目名】０００１
【補正方法】変更
【補正の内容】
【０００１】
本発明は、デジタルカメラとプリント装置がダイレクトに通信し、デジタルカメラが所有する画像をダイレクトに印刷する技術に関するものである。なお、昨今のデジタルカメラは動画も撮影する機能を有するものがあるが、少なくともその基本は静止画撮影であるので、かかる機能を有する装置をもデジタルカメラ（ＤＳＣ）と称することとする。
【手続補正４】
【補正対象書類名】明細書
【補正対象項目名】００１１
【補正方法】変更
【補正の内容】
【００１１】
かかる課題を解決するため、例えば本発明のプリント装置は以下の構成を備える。すなわち、
デジタルカメラと通信手段を介してダイレクトに通信し、前記デジタルカメラが装着するメモリに格納された撮像画像をプリントするプリント装置であって、
前記通信手段で前記デジタルカメラと通信を開始したことに応じて、当該デジタルカメラがダイレクトプリント機能を有するデバイスであるか否かを認証するため、接続中の前記デジタルカメラが所有している情報を要求する要求手段と、
該要求手段による要求の結果、前記デジタルカメラからダイレクト印刷機能を有することを示す認証情報を受信した後で、プリンタ装置自身がダイレクト印刷機能を有することを示す認証情報を通知する通知手段を有し、
前記要求手段は、前記デジタルカメラから受信した情報が、ダイレクトプリント機能を有することを示す認証情報でなかった場合に、再度、前記デジタルカメラが所有している情報を要求することを特徴とする。